【手続補正書】
【提出日】平成16年1月19日(2004.1.19)
【手続補正１】
【補正対象書類名】明細書
【補正対象項目名】特許請求の範囲
【補正方法】変更
【補正の内容】
【特許請求の範囲】
【請求項１】
電源電圧を昇圧することにより高電圧を生成し、負荷に供給する高電圧生成手段と、
前記負荷の大きさを見積もる負荷見積り手段と、
前記負荷見積り手段によって見積もられた前記負荷の大きさに応じて前記高電圧生成手段の昇圧能力を制御する昇圧能力制御手段とを備え、
前記負荷見積り手段は、
前記高電圧生成手段が起動した後で予め設定された所定時間経過後にサンプル信号を出力するタイマと、
前記サンプル信号を受取ったときの前記高電圧生成手段の出力電圧の大きさを検知する電圧検知手段とを含む、高電圧発生装置。
【請求項２】
電源電圧を昇圧することにより高電圧を生成し、負荷に供給する高電圧生成手段と、
前記負荷の大きさを見積もる負荷見積り手段と、
前記負荷見積り手段によって見積もられた前記負荷の大きさに応じて前記高電圧生成手段の昇圧能力を制御する昇圧能力制御手段とを備え、
前記負荷見積り手段は、
前記高電圧生成手段の出力電圧の大きさを検出する出力電圧検出手段と、
前記高電圧生成手段が起動した後前記出力電圧検出手段で予め設定された所定電圧に到達したことが検出されるまでの時間を測るカウント手段とを含む、高電圧発生装置。
【請求項３】
前記昇圧能力制御手段は、電源から前記高電圧生成手段に供給される電流の大きさを変化させる、請求項１または請求項２に記載の高電圧発生装置。
【請求項４】
前記昇圧能力制御手段は、前記電源と前記高電圧生成手段が前記電源から前記電源電圧を受けるためのノードとの間に並列に接続され、前記負荷見積り手段によって制御される複数のトランジスタを含む、請求項３に記載の高電圧発生装置。
【請求項５】
前記昇圧能力制御手段は、前記高電圧生成手段から出力される電流の大きさを変化させる、請求項１または請求項２に記載の高電圧発生装置。
【請求項６】
前記昇圧能力制御手段は、接地ノードと前記高電圧生成手段が前記接地ノードから接地電圧を受けるノードとの間に並列に接続され、前記負荷見積り手段によって制御される複数のトランジスタを含む、請求項５に記載の高電圧発生装置。
【請求項７】
電源電圧を昇圧することにより高電圧を生成し、負荷に供給する高電圧生成手段と、
前記高電圧生成手段の出力電圧の大きさを検出する出力電圧検出手段と、
前記出力電圧検出手段によって検出された出力電圧の大きさに応じて前記高電圧生成手段の昇圧能力を制御する昇圧能力制御手段とを備え、
前記昇圧能力制御手段は、電源から前記高電圧生成手段に供給される電流の大きさを変化させる、高電圧発生装置。
【請求項８】
電源電圧を昇圧することにより高電圧を生成し、負荷に供給する高電圧生成手段と、
前記高電圧生成手段の出力電圧の大きさを検出する出力電圧検出手段と、
前記出力電圧検出手段によって検出された出力電圧の大きさに応じて前記高電圧生成手段の昇圧能力を制御する昇圧能力制御手段とを備え、
前記昇圧能力制御手段は、前記高電圧生成手段から出力される電流の大きさを変化させる、高電圧発生装置。
【手続補正２】
【補正対象書類名】明細書
【補正対象項目名】００１２
【補正方法】変更
【補正の内容】
【００１２】
【課題を解決するための手段】
請求項１に係る高電圧発生装置は、電源電圧を昇圧することにより高電圧を生成し、負荷に供給する高電圧生成手段と、負荷の大きさを見積もる負荷見積り手段と、負荷見積り手段によって見積もられた負荷の大きさに応じて高電圧生成手段の昇圧能力を制御する昇圧能力制御手段とを備え、負荷見積り手段は、高電圧生成手段が起動した後で予め設定された所定時間経過後にサンプル信号を出力するタイマと、サンプル信号を受取ったときの高電圧生成手段の出力電圧の大きさを検知する電圧検知手段とを含む。
【手続補正３】
【補正対象書類名】明細書
【補正対象項目名】００１３
【補正方法】変更
【補正の内容】
【００１３】
請求項２に係る高電圧発生装置は、電源電圧を昇圧することにより高電圧を生成し、負荷に供給する高電圧生成手段と、負荷の大きさを見積もる負荷見積り手段と、負荷見積り手段によって見積もられた負荷の大きさに応じて高電圧生成手段の昇圧能力を制御する昇圧能力制御手段とを備え、負荷見積り手段は、高電圧生成手段の出力電圧の大きさを検出する出力電圧検出手段と、高電圧生成手段が起動した後出力電圧検出手段で予め設定された所定電圧に到達したことが検出されるまでの時間を測るカウント手段とを含む。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】変更
【補正の内容】
【００１５】
請求項３に係る高電圧発生装置は、請求項１または請求項２に記載の高電圧発生装置であって、昇圧能力制御手段は、電源から高電圧生成手段に供給される電流の大きさを変化させる。


【手続補正６】
【補正対象書類名】明細書
【補正対象項目名】００１６
【補正方法】変更
【補正の内容】
【００１６】
請求項４に係る高電圧発生装置は、請求項３に記載の高電圧発生装置であって、昇圧能力制御手段は、電源と高電圧生成手段が電源から電源電圧を受けるためのノードとの間に並列に接続され、負荷見積り手段によって制御される複数のトランジスタを含む。


【手続補正７】
【補正対象書類名】明細書
【補正対象項目名】００１７
【補正方法】変更
【補正の内容】
【００１７】
請求項５に係る高電圧発生装置は、請求項１または請求項２に記載の高電圧発生装置であって、昇圧能力制御手段は、高電圧生成手段から出力される電流の大きさを変化させる。


【手続補正８】
【補正対象書類名】明細書
【補正対象項目名】００１８
【補正方法】変更
【補正の内容】
【００１８】
請求項６に係る高電圧発生装置は、請求項５に記載の高電圧発生装置であって、昇圧能力制御手段は、接地ノードと高電圧生成手段が接地ノードから接地電圧を受けるノードとの間に並列に接続され、負荷見積り手段によって制御される複数のトランジスタを含む。


【手続補正９】
【補正対象書類名】明細書
【補正対象項目名】００１９
【補正方法】変更
【補正の内容】
【００１９】
請求項７に係る高電圧発生装置は、電源電圧を昇圧することにより高電圧を生成し、負荷に供給する高電圧生成手段と、高電圧生成手段の出力電圧の大きさを検出する出力電圧検出手段と、出力電圧検出手段によって検出された出力電圧の大きさに応じて高電圧生成手段の昇圧能力を制御する昇圧能力制御手段とを備え、昇圧能力制御手段は、電源から高電圧生成手段に供給される電流の大きさを変化させる。


【手続補正１０】
【補正対象書類名】明細書
【補正対象項目名】００２０
【補正方法】変更
【補正の内容】
【００２０】
請求項８に係る高電圧発生装置は、電源電圧を昇圧することにより高電圧を生成し、負荷に供給する高電圧生成手段と、高電圧生成手段の出力電圧の大きさを検出する出力電圧検出手段と、出力電圧検出手段によって検出された出力電圧の大きさに応じて高電圧生成手段の昇圧能力を制御する昇圧能力制御手段とを備え、昇圧能力制御手段は、高電圧生成手段から出力される電流の大きさを変化させる。
【手続補正１１】
【補正対象書類名】明細書
【補正対象項目名】００２１
【補正方法】削除
【補正の内容】